(57)【特許請求の範囲】
【請求項１】
オストミー連結のためのアダプタであって、該アダプタは身体装備の身体装備連結部とオストミー装具の装具連結部との間に嵌合するように構成され、該アダプタは、
該身体装備連結部に取り付けるために構成された、閉じたループ形状の第１の連結部と、
該装具連結部に取り外し可能に取り付けるために構成された、閉じたループ形状の第２の連結部であって、該アダプタが概して平面的な構成を採用可能であるように該第１の連結部の周囲に配置された第２の連結部と、
該第１の連結部と第２の連結部との間に配置され且つ該第１の連結部と該第２の連結部とを相互に接続する、閉じたループ形状の柔軟な環であって、ユーザーが該オストミー装具を嵌合させるときに手動で該第２の連結部を支持するスペースを提供するために、該柔軟な環は該第２の連結部が該第１の連結部から離れる方向に移動させられることを可能にする、柔軟な環と
を備え、該アダプタは直通の通路を有し、該第１および第２の連結部ならびに該柔軟な環の各々は、該直通の通路の周りで拡張する、アダプタ。
【請求項２】
前記第１および第２の連結部の少なくとも１つは機械的なインターロックプロファイルを備える、請求項１に記載のアダプタ。
【請求項３】
前記機械的なインターロックプロファイルは溝、およびリブから選択される、請求項２に記載のアダプタ。
【請求項４】
前記第１および第２の連結部の一方は溝を備え、他方はリブを備える、請求項３に記載のアダプタ。
【請求項５】
前記第１および第２の連結部の少なくとも１つは粘着性の連結部を備える、請求項１に記載のアダプタ。
【請求項６】
前記第１および第２の連結部の少なくとも１つは、相補的な粘着性の連結部にかみ合うための概して平面の非粘着性の着地表面を備える、請求項１に記載のアダプタ。
【請求項７】
前記柔軟な環は伸縮可能な材料で構成される、請求項１に記載のアダプタ。
【請求項８】
前記柔軟な環は泡状材料で構成される、請求項１に記載のアダプタ。
【請求項９】
前記柔軟な環は実質的に平坦な材料で構成される、請求項１に記載のアダプタ。
【請求項１０】
前記柔軟な環は柔軟なフィルム材料で構成される、請求項１に記載のアダプタ。
【請求項１１】
前記柔軟な環はアコーディオン折り目を有して形成される、請求項１に記載のアダプタ。
【請求項１２】
前記第１および第２の連結部は様々なオリフィス寸法を有する、請求項１に記載のアダプタ。
【請求項１３】
前記第２の連結部の内寸法は前記第１の連結部の外寸法よりも小さくない、請求項１に記載のアダプタ。
【請求項１４】
前記第１および第２の連結部は実質的に同一の連結サイズのものである、請求項１に記載のアダプタ。
【請求項１５】
前記第１および第２の連結部ならびに前記柔軟な環は１つの構成単位として形成される、請求項１に記載のアダプタ。
【請求項１６】
前記第１および第２の連結部は１つの構成単位として形成され、前記柔軟な環は別個の構成単位として形成される、請求項１に記載のアダプタ。
【請求項１７】
前記第１の連結部と前記柔軟な環とは１つの構成単位として形成され、前記第２の連結部は別個の構成単位として形成される、請求項１に記載のアダプタ。
【請求項１８】
前記第２の連結部と前記柔軟な環とは１つの構成単位として形成され、前記第１の連結部は別個の構成単位として形成される、請求項１に記載のアダプタ。
【請求項１９】
皮膚に取り付けるための粘着性ウエハ、および身体装備連結部を含む身体装備であって、該身体装備連結部はストーマオリフィスを含んでいる、身体装備と、
該身体装備に連結するためのアダプタであって、該アダプタは、該身体装備連結部に取り付けるための、閉じたループ形状の第１の連結部、オストミー装具に取り外し可能に取り付けるための、閉じたループ形状の第２の連結部であって、該アダプタが概して平面的な構成を採用可能であるように該第１の連結部の周囲に配置された第２の連結部、および該第１の連結部と第２の連結部との間に配置され且つ該第１の連結部と該第２の連結部とを相互に接続する、閉じたループ形状の柔軟な環を含み、該アダプタは、直通の通路を有し、該第１および第２の連結部ならびに該柔軟な環の各々は、該直通の通路の周りで拡張し、該装具を該第２の連結部に取り付けるときの取り付け力に対抗して、ユーザーが手動で該第２の連結部を支持するスペースを提供するために、該柔軟な環は該第２の連結部が該第１の連結部から離れる方向に移動させられることを可能にする、アダプタと
を備える、オストミー器具。
【請求項２０】
前記身体装備連結部の少なくとも一部分は、実質的に前記粘着性ウエハに対して適所に固定される、請求項１９に記載の器具。
【請求項２１】
入口開口部の周りに拡張する装具連結部を有するオストミー装具をさらに備え、前記第２の連結部は該装具連結部への取り外し可能な取り付けのために構成されている、請求項１９に記載の器具。
【請求項２２】
非浮揚性の身体装備連結部を有する身体装備と、
閉じたループ形状の第１の連結部、閉じたループ形状の第２の連結部であって、該アダプタが概して平面的な構成を採用可能であるように該第１の連結部の周囲に配置された第２の連結部、および該第１の連結部と第２の連結部との間に配置され且つ該第１の連結部と該第２の連結部とを相互に接続する、閉じたループ形状の柔軟な環を含むアダプタと
を備えるシステムであって、
該アダプタの該第１の連結部は、該身体装備に対して浮揚性の連結部特性を提供するために、該非浮揚性の身体装備連結部に取り付けられるように構成されており、
該アダプタは直通の通路を有し、該第１および第２の連結部ならびに該柔軟な環の各々は、該直通の通路の周りで拡張する、システム。
【発明の詳細な説明】
【技術分野】
【０００１】
（本発明の分野）
本発明は、オストミー装具をオストマットの身体の上に着用される身体装備に取り外し可能に取り付けるためのオストミー連結に関する。１つの形態において、本発明は浮揚性の連結部を有する身体装備を提供することに関する。
【背景技術】
【０００２】
（本発明の背景）
特許文献１の明細書および本発明の図１に示されるオストミー連結は、オストマットの間で広範囲の人気と是認を受けてきた。連結はプレスフィットで一体に固定され得る、第１および第２の内部かみ合い連結部１０、１２を備える。第１の連結部１０は環状のリブを備え、身体装備の粘着性ウエハ１４に直接的に装着される。第２の連結部１２は環状の溝部材を備え、採集ポーチ１６の口の周りに装着される。連結部１０、１２は、様々なストーマサイズの要求に適合させるために様々な直径の範囲で製造され、オストマットは連結サイズにマッチする部品を選択する。
【０００３】
特許文献２、特許文献３、特許文献４、および特許文献５は、連結部が互いに押されるときに身体装備を介して皮膚に加えられる取り付け力の結果として一部のオストマットが経験し得る苦痛を軽減するために設計される修正を教示する。苦痛の問題は特に、ストーマの外科手術が行われたばかりで腹部の皮膚が非常に傷つきやすい、手術後の患者管理の間において重要である。これら後者の文書は、粘着性ウエハと身体装備の連結部との間に恒久的に固定された柔軟な環のサスペンションを教示する。柔軟な環は、装具が身体装備に対して押されるときの取り付け力に対抗して連結部を手動で支持するために、少なくとも、ユーザーが連結部の裏側に１つまたはそれよりも多くの指を挿入するに十分な量によって、連結部が粘着性ウエハに対して離れる方向に移動させられる、または「浮揚する」ことを可能にする。この技術は、手術後の患者管理の間、傷つきやすい腹部の皮膚への取り付け力の伝達を軽減することに成功している一方で、この様式の連結を毎日の使用に対する理想には足りないものにしているいくつかの不都合がある。すなわち、（１）装具は、柔軟な環が用いられない均等なシステムよりも大きい傾向がある。（２）システムのプロファイルは、増加した厚さのために柔軟な環のない類似のシステムよりも高い。（３）柔軟な環は、ポーチがウエハ表面から離れる方向に浮揚することを可能にするために明示的に提供されるので、装具が粘着性ウエハから離れる方向に垂れる傾向がある。（４）製造コストがより高いので、デバイスのコストは柔軟な環のない伝統的なシステムよりも高い。手術後の患者管理に対しては特定の顧客選択に、また毎日の使用に対しては様々な顧客選択にも適応することを望む製造業者は、柔軟な環があるものとないものの両方の様々な様式の身体装備を製造する必要があり、増加した在庫および製造コストの重大な負担を導く。
【０００４】
本発明は上記に耐えることを念頭に発明された。
【先行技術文献】
【特許文献】
【０００５】
【特許文献１】英国特許第１５７１６５７号明細書
【特許文献２】米国特許第４，４１９，１００号明細書
【特許文献３】米国特許第４，６１０，６７６号明細書
【特許文献４】米国特許第４，６１０，６７７号明細書
【特許文献５】米国特許第５，７３０，７３５号明細書
【発明の概要】
【課題を解決するための手段】
【０００６】
（本発明の概要）
１つの形態において、本発明はオストミー連結のためのアダプタを提供する。アダプタは、非浮揚性の連結部を有するオストミー身体装備に対して、浮揚性の連結特性を提供する。
【０００７】
このように、本発明は、非浮揚性の連結部を有する単一型の身体装備が、浮揚性の連結特性を提供するアダプタと共に用いられるに等しいことを可能にすることによって、増加させられる在庫および製造コストの問題を解決する。そのようなアダプタの使用は、製造業者が浮揚性の連結の特徴を有している、および有していない、様々な様式の身体装備を製造し、在庫を持つ必要を回避し得る。その代わり、浮揚性の連結部が手術後または特定の患者管理のために望まれるときには、オストマットまたは介護者は浮揚性の連結部のない標準の身体装備を用い得、所望の浮揚性の連結の特徴を得るためにその身体装備にアダプタを取り付け得る。アダプタはそれにより既存のオストミー装置の融通性を実質的に高め得、様々なオストマットの好みをかなえる在庫および製造コストの負担を軽減する。
【０００８】
アダプタは、身体装備に取り付けるための第１の連結部、オストミー装具に取り外し可能に取り付けるための第２の連結部、および第１の連結部と第２の連結部との間にある柔軟な環を備える。柔軟な環は第２の連結部が第１の連結部から離れる方向に移動させられることを可能にし、それによって、装具が嵌合されるときにオストマットが取り付け力に対抗して第２の連結部を手動で支持するためのスペースを生成する。
【０００９】
本明細書に用いられるように、用語「取り外し可能に取り付ける」およびその派生語は、２つの連結部が取り付け可能で取り外し可能であることを意味し、手によって加えられる力を用い、どちらのパーツも破壊を伴わない。用語「浮揚性の」は、連結部が粘着性ウエハに向かってまたは粘着性ウエハから離れる方向に移動可能で、粘着性ウエハを介して加えられている取り付け力を取り除くために、ユーザーが手動でその連結部を支持する、スペースを生成することを意味する。
【００１０】
本発明は、例えば、以下の項目も提供する。
（項目１）
オストミー連結のためのアダプタであって、該アダプタは身体装備の身体装備連結部とオストミー装具の装具連結部との間に嵌合するように構成され、該アダプタは、
該身体装備連結部に取り付けるために構成された第１の連結部と、
該装具連結部に取り外し可能に取り付けるために構成された第２の連結部と、
該第１の連結部と第２の連結部との間にある柔軟な環であって、ユーザーが該オストミー装具を嵌合させるときに手動で該第２の連結部を支持するスペースを提供するために、該柔軟な環は該第２の連結部が該第１の連結部から離れる方向に移動させられることを可能にする、柔軟な環と
を備える、アダプタ。
（項目２）
前記アダプタは直通の通路、前記第１および第２の連結部、ならびに該直通の通路の周りに各々が拡張する前記柔軟な環を有する、項目１に記載のアダプタ。
（項目３）
前記第１および第２の連結部の少なくとも１つは機械的なインターロックプロファイルを備える、項目１に記載のアダプタ。
（項目４）
前記機械的なインターロックプロファイルは溝、およびリブから選択される、項目３に記載のアダプタ。
（項目５）
前記第１および第２の連結部の一方は溝を備え、他方はリブを備える、項目４に記載のアダプタ。
（項目６）
前記第１および第２の連結部の少なくとも１つは粘着性の連結部を備える、項目１に記載のアダプタ。
（項目７）
前記第１および第２の連結部の少なくとも１つは、相補的な粘着性の連結部にかみ合うための概して平面の非粘着性の着地表面を備える、項目１に記載のアダプタ。
（項目８）
前記柔軟な環は伸縮可能な材料で構成される、項目１に記載のアダプタ。
（項目９）
前記柔軟な環は泡状材料で構成される、項目１に記載のアダプタ。
（項目１０）
前記柔軟な環は実質的に平坦な材料で構成される、項目１に記載のアダプタ。
（項目１１）
前記柔軟な環は柔軟なフィルム材料で構成される、項目１に記載のアダプタ。
（項目１２）
前記柔軟な環はアコーディオン折り目を有して形成される、項目１に記載のアダプタ。
（項目１３）
前記第１および第２の連結部は様々なオリフィス寸法を有する、項目１に記載のアダプタ。
（項目１４）
前記第２の連結部の内寸法は前記第１の連結部の外寸法よりも小さくない、項目１に記載のアダプタ。
（項目１５）
前記第１および第２の連結部は実質的に同一の連結サイズのものである、項目１に記載のアダプタ。
（項目１６）
前記第１および第２の連結部ならびに前記柔軟な環は１つの構成単位として形成される、項目１に記載のアダプタ。
（項目１７）
前記第１および第２の連結部は１つの構成単位として形成され、前記柔軟な環は別個の構成単位として形成される、項目１に記載のアダプタ。
（項目１８）
前記第１の連結部と前記柔軟な環とは１つの構成単位として形成され、前記第２の連結部は別個の構成単位として形成される、項目１に記載のアダプタ。
（項目１９）
前記第２の連結部と前記柔軟な環とは１つの構成単位として形成され、前記第１の連結部は別個の構成単位として形成される、項目１に記載のアダプタ。
（項目２０）
皮膚に取り付けるための粘着性ウエハ、および身体装備連結部を含む身体装備であって、該身体装備連結部はストーマオリフィスを含んでいる、身体装備と、
該身体装備に連結するためのアダプタであって、該アダプタは、該身体装備連結部に取り付けるための第１の連結部、オストミー装具に取り外し可能に取り付けるための第２の連結部、および該第１の連結部と第２の連結部との間の柔軟な環を含み、該アダプタは、該第１および第２の連結部ならびに該柔軟な環が各々が周りで拡張する直通の通路を有し、該柔軟な環は、使用時に、オストマットが該第２の連結部と該身体装備との間にスペースを生成し、該装具を該第２の連結部に取り付けるときの取り付け力に対抗して手動で該第２の連結部を支持することを可能にする、アダプタと
を備える、オストミー器具。
（項目２１）
前記身体装備連結部の少なくとも一部分は、実質的に前記粘着性ウエハに対して適所に固定される、項目２０に記載の器具。
（項目２２）
入口開口部の周りに拡張する装具連結部を有するオストミー装具をさらに備え、前記第２の連結部は該装具連結部への取り外し可能な取り付けのために構成されている、項目２０に記載の器具。
（項目２３）
非浮揚性の身体装備連結部を有する身体装備を提供することと、
第１の連結部、第２の連結部、および該第１の連結部と第２の連結部との間の柔軟な環を含むアダプタを提供することと、
該身体装備に対して浮揚性の連結部特性を提供するために、該アダプタの該第１の連結部を該非浮揚性の身体装備連結部に取り付けることと
を含む、方法。
（項目２４）
非浮揚性の身体装備連結部を有する身体装備に対して浮揚性の連結特性を提供するアダプタの使用であって、該アダプタは、
該非浮揚性の身体装備連結部に取り付けるための第１の連結部と、
オストミー装具に取り外し可能に取り付けるための第２の連結部と、
および該第１の連結部と第２の連結部との間の柔軟な環であって、該柔軟な環は該第１の連結部に対する該第２の連結部の移動を可能にする、柔軟な環と
を備える、使用。
最も重要であると考えられる特徴が上記の説明の中で、および添付の特許請求の範囲の中で強調される一方で、出願人は本明細書および／または本発明の図に開示される任意の新しい特徴または考えに対する特許請求の範囲の保護を、主眼点がその上に置かれようが置かれまいが、要求し得る。
【図面の簡単な説明】
【００１１】
【図１】図１は、ＧＢ第１５７１６５７号による従来技術のオストミー連結の概略の断面図である。
【図２】図２は、本発明のアダプタを用いる第１の実施形態のオストミー装具の要素を示す、概略の破裂させられた断面図である。
【図３】図３は、使用時のオストミー装具を示す、図２に類似の概略の断面図である。
【図４】図４は、概して平面の状態にある、第２の実施形態のアダプタを示す概略の断面図である。
【図５】図５は、膨張させられた状態にある、第２の実施形態のアダプタを示す概略の断面図である。
【図６】図６は、第３の実施形態のアダプタを示す概略の断面図である。
【図７】図７は、概して平面の状態にある、第４の実施形態のアダプタを示す概略の断面図である。
【図８】図８は、膨張させられた状態にある、第４の実施形態のアダプタを示す概略の断面図である。
【図９】図９は、収縮させられた状態にある、第５の実施形態のアダプタを示す概略の断面図である。
【図１０】図１０は、膨張させられた状態にある、第５の実施形態のアダプタを示す概略の断面図である。
【発明を実施するための形態】
【００１２】
（好ましい実施形態の詳細な説明）
添付図において、同一の参照数字は各実施形態における同一のまたは均等の特徴を示すために用いられる。
【００１３】
図２および図３を参照して、オストミー装置２０は一般に身体装備２２、オストミー装具２４、およびアダプタ２６を備える。身体装備２２は、オストマットの皮膚３０（図３）への取り付けのための、ストーマオリフィス２９を有する粘着性ウエハ２８、およびストーマオリフィス２９周りの粘着性ウエハ２８に固定される身体装備連結部３２を備える。粘着性ウエハ２８は、米国特許第４，１６６，０５１号、米国特許第４，３９３，０８０号、またはストーマ周りでの使用のために設計された他の構成に記載されるような、任意の適当な、皮膚に無害のオストミー粘着性物質からなり得る。身体装備連結部３２は、連結部３２の少なくとも一部分がウエハ２８に対して適所に固定されるような態様で固定される。例えば、身体装備連結部３２は、粘着性ウエハ２８または粘着性ウエハ２８の裏板（示されていない）に溶接または接着され得る。身体装備連結部３２は、実質的に粘着性ウエハ２８に対して身体装備連結部３２を移動させることが不可能であるので、非浮揚性といわれ得る。
【００１４】
本発明は任意の形態のオストミー装具に適用可能ではあるが、オストミー装具２４は、ストーマポーチまたは制御された排出装具のような採集ポーチを備える。オストミー装具２４は、オストミー装具２４の入口開口部３９を囲む装具連結部３８をも備える。
【００１５】
アダプタ２６は、浮揚性の連結部の特性を有する身体装備２２を提供するように働く。アダプタ２６は、浮揚性の連結の特徴を有するかまたは有さない、様々な様式の身体装備２２を製造し、在庫を持つという製造業者にとっての必要性を避けることができるので、アダプタ２６を用いることによって、製造および在庫の負担は実質的に減少させられ得る。その代わり、浮揚性の連結部が手術後または特定の患者管理のために設計されるときには、オストマットまたは介護者は浮揚性の連結部を有さない標準の身体装備２２を用いて、所望の浮揚性の連結の特徴を得るためにアダプタ２６を身体装備２２に取り付けることができる。
【００１６】
アダプタ２６は、身体装備連結部３２に取り付けるための第１の連結部３４を、第１のオストミー連結４２として備える。アダプタ２６は、第２のオストミー連結４４として装具連結部３８への取り外し可能な取り付けのための第２の連結部３６をさらに備える。アダプタ２６は、第２の連結部３６が第１の連結部３４に対して移動または「浮揚」することを可能にする、柔軟な環４０をさらに備える。柔軟な環４０は、少なくとも部分的に第１と第２の連結部３４、３６の間に拡張する。柔軟な環４０、ならびに第１および第２の連結部３４、３６は一般に、ストーマまたはストーマの流出物に対する直通の通路３７の周りの、環状または管状の輪のような閉じたループ形状を有する。
【００１７】
本発明の実施形態において、柔軟な環４０は、第１および第２の連結部３４、３６に、溶接または粘着性の接着のような適当な態様で恒久的に固定された、別個の部材である。しかしながら、柔軟な環４０は、望まれる場合には第１および第２の連結部３４、３６の１つまたは両方と一体的に成型され得る。
【００１８】
柔軟な環４０は、伸縮可能な材料、すなわち、泡状材料、平坦なシート材料、柔軟なフィルム、および／またはアコーディオン折り目が形成された材料のうちの１つまたはそれよりも多くを含むような、任意の適当な形態を有し得る。
【００１９】
連結部３４、３６、３８が図２および図３においてブロックによって概略的に描かれている。しかしながら、連結部３４、３６、３８は、薄いかまたは３次元プロファイルのような様々な形状を有し得ることが認識される。第１および第２の連結４２、４４は両方とも、それぞれの連結部に共に固定されるための機械的なインターロックまたは干渉を用いた機械的な様式からなり得る。後述の実施形態は、連結部３４と３６と３８との間に相互のインターロックまたは干渉が生成される、機械的な連結を示す。あるいは、第１および第２の連結４２、４４は両方とも、対面する連結部３４、３６、３８の１つまたは両方が相補的な対面する部分に固定されるための粘着性物質を携行するような、粘着性の様式からなり得る。他の対面する部分も粘着性であり得、または粘着性の連結部にかみ合うための平面の非粘着性の着地表面であり得る。あるいは、第１および第２の連結４２、４４のうちの１つは粘着性の様式からなり得、かつ他方は機械的な様式からなり得る。
【００２０】
第１の連結部３４は、オプションとして装具連結部３８と均等な連結様式からなり得る（連結部のサイズが異なり得ることを除いて）。第２の連結部３６は、オプションとして身体装備連結部３２と均等な連結様式からなり得る（連結部のサイズが異なり得ることを除いて）。
【００２１】
少なくとも第２の連結４４は、オストミー装具２４の取り付け、取り外しおよび更新を可能にする、取り外し可能に取り付け可能な様式のものである。第１の連結４２も、アダプタ２６が、最初の取り付けの後、例えばクリーニングを容易にしたり、または同一のアダプタ２６を様々な身体装備２２に複数回用いられることを可能にするため、身体装備２２から取り外されることを可能にするために、取り外し可能に取り付け可能な様式からなり得る。あるいは、第１のオストミー連結４２は、身体装備２２に最初に取り付けられた後に、偶発的なアダプタ２６の取り外しを防ぐために、取り外し可能でない（または少なくとも取り外しが容易でない）様式からなり得る。例えば、第１のオストミー連結４２が粘着性の様式のものであるときには、第１のオストミー連結４２は、例えば、アクリレートベースの剥離可能で取り外し可能な粘着性物質のような剥離可能で取り外し可能な粘着性物質を含む、取り外し可能に取り付け可能な連結であることが好ましい。第１のオストミー連結４２が機械的な様式のものであるときには、第１のオストミー連結４２は、取り外し可能に取り付け可能な連結であり得るか、または取り外し可能にでなく取り付け可能な連結であり得る。
【００２２】
使用に際しては、アダプタ２６は第１のオストミー連結４２によって最初に身体装備２２に取り付けられる。アダプタ２６は、アダプタ２６の取り付けがオストマットに何らかの不快感を引き起こすような取り付け力を避けるために、身体装備２２が次に身体に取り付けられる前に、身体装備２２に取り付けられることが好ましい。しかしながら、アダプタ２６は、そう望まれる場合には、身体装備２２がすでに身体に固着されているときにも身体装備２２に取り付けられるだけの十分な融通性がある。
【００２３】
図３を参照して、オストミー装具２４を取り付ける手段として、オストマットは、オストマットが片手または両手の１つまたはそれよりも多くの指４８を挿入するための第２の連結部３６と身体装備２２との間のスペース４６を提供するために、第２の連結部３６を身体装備２２から離れる方向に移動させる。ただ１本の指４８が図３の１ケ所に示されているが、オストマットが第２の連結部３６をその周辺で支持するために数ケ所で彼の指を挿入し得ることが認識される。次に、指４８を用いて取り付け力に対して第２の連結部３６を支持する手段として、オストミー装具２４をアダプタ２６に固定するために、オストマットは装具連結部３８を押して第２の連結部３６とかみ合わせる。オストマットは次に第２の連結部３４が身体装備２２に向かって戻ることを可能にするために、指４８を取り去る。
【００２４】
第２の連結部３６の横軸の寸法（例えば、直径）は、一般に第１の連結部３４のそれより小さくはない。図示された形態において、第２の連結部３６は第１の連結部３４の外寸法（例えば、外径）よりも大きな内寸法（例えば、内径）を有する。これは、アダプタ２６が、望まれる場合に、概して平面の、低プロファイル構成を採用し得るように、第２の連結部３６が、第１の連結部３４周りで少なくとも部分的に嵌合することを可能にする。図２を参照して、概して平面の構成において、第２の連結部３６の後部３６ａは、第１の連結部３４の前部３４ｂよりも粘着性ウエハ２８の表面から実質的に遠くなくあり得る。好ましい形態において、第２の連結部の後部３６ａは、２つの連結部３４、３６が部分的に重なり合うように、第１の連結部３４の前部３４ａよりも粘着性ウエハ２８の表面に接近してい得る。さらにより好ましい形態において、第２の連結部３６の後部３６ａは粘着性ウエハ２８に接触し得る（または後に控えてい得る）。アダプタ２６を有する身体装備２２のプロファイル高さは、身体装備２２単独のそれと概して同一か、または実質的にそれよりも大きくはない。
【００２５】
第１および第２の連結部３４、３６は、製造業者の現存の連結サイズ範囲とは異なるサイズにマッチするように選択され得る。例えば、第１の連結部３４は、４５ｍｍの連結を有する身体装備に嵌合させるために４５ｍｍの直径サイズであり得、第２の連結部３６は、５７ｍｍの連結を有する装具に嵌合させるために５７ｍｍの直径サイズであり得る。装具連結部３８のサイズは身体装備連結部３２のサイズにはマッチしないが、２つのサイズはそれにもかかわらず製造業者の現存の製品範囲の標準的なサイズの範囲から選択され得る。
【００２６】
代替的な修正（図９および図１０に関して後述される）において、第１および第２の連結部３４、３６は、連結部３４、３６が背中合わせにあるように、実質的に同一の連結サイズからなり得る。そのような設計は、図２および図３のネストされた設計と同程度の低プロファイルを与えることはできなくあり得るが、アダプタ２６が身体装備２２とオストミー装具２４との間の、マッチする連結サイズを有するオプションとして用いられることを可能にし得る。
【００２７】
アダプタ２６は単体の身体装備２２とともに用いられ得る。例えば、アダプタ２６は、身体装備２２のそれと均等な評価寿命を有し得る。あるいは、アダプタ２６は様々な身体装備２２と共に複数回用いられるよう意図され得る。アダプタ２６は、柔軟な環４０の多数回の「褶曲」にプラスティックの変形なく耐え、かつ様々な使用の間のクリーニングに耐えるように構成され得る。
【００２８】
様々なアダプタ２６の範囲が、例えば、柔軟な環４０の様々な動程長さおよび／または様々な堅さを有して提供され得る。これは、アダプタ２６が標準の身体装備２２に提供し得る融通性をさらに高め得る。
【００２９】
図４および図５は、アダプタ２６の第２の実施形態をより詳細に示す。第２の実施形態において、第１の連結部３４は、身体装備連結部３２の相補的な環状のリブ（示されてはいない）とインターロックするプレスフィットを形成するための環状の溝５０を備える。環状の溝５０は、前述のＧＢ−Ａ−１５７１６５７に記載されたものと類似の態様でインターロックするかみ合いを形成するための、１つまたはそれよりも多くのアンダーカットされた突起５３を含み得る。第２の連結部３６は、装具連結部３８の相補的な環状の溝とインターロックするプレスフィットを形成するための環状のリブ５４が突き出ている、放射状に突き出ているフランジ５２を備える。環状のリブ５４は、インターロックおよび／またはシールするワイパー（示されていない）（両方ともＧＢ−Ａ−１５７１６５７に記載される）を形成するために、アンダーカットされた突起５５を含み得る。フランジ５２は、（ｉ）オストマットが、スペース４６を生み出すために、第２の連結部３６を第１の連結部３４から（図５の中のように）軸上で離れる方向に移動することを可能にする指グリップ、および（ｉｉ）オストマットの指４８が、取り付け力に対抗して第２の連結部３６を支持するために裏側に位置する、壁として作用する。連結部３４、３６は、堅く柔軟で、自立できる形状を有する、プラスティック材料から成型される。
【００３０】
柔軟な環４０は、エチレンビニルアセテートのような、約０．２５ｍｍの厚さを有するプラスティックフィルムを備える。プラスティックフィルムは、柔軟な環４０の膨張させられた形状に合うように、図５に示されるような錐体形状に成型または形成され、柔軟な環４０が折りたたまれるときには、図４に示されるような折り曲げられた形状に折りたたまれ得る。プラスティックフィルムは、米国仮出願第６０／９６８，４０３号および第６０／９５６，２３８号に由来する、本発明者の、同時に出願されたＰＣＴ出願により詳細に記載されるように、柔軟な環４０が図４および図５のどちらの形状にも戻る傾向がある、双安定な特性を有し得る。柔軟な環４０は、第１および第２の連結部３４、３６に、例えば、溶接または粘着性の接着によって固定され得る。
【００３１】
図６は第２の実施形態に類似の、アダプタ２６の第３の実施形態を示す。主要な相違点は、柔軟な環４０のフィルムが概して平面の形状に形成されていることである。フィルムの柔軟性は、第２の連結部３６が第１の連結部３４に向かって移動させられ、ユーザーの指のためのスペース４６を生成することを可能にする。フィルムは、弾力を持って伸縮可能であり得るか、または伸縮可能ではなくあり得る。
【００３２】
図７および図８は第２の実施形態に類似の、アダプタ２６の第４の実施形態を示す。主要な相違点は、柔軟な環４０が、柔軟な環４０をより曲げやすくし、柔軟な環４０が錐体形状（図８）に膨張させられることを可能にするようなアコーディオン折り目６２を有する、成型されたプラスティック部材６０を備えることである。プラスティック部材６０は、概して平面の形状（図７）に成型され得、膨張させられた錐体形状（図８）に弾力を持って変形可能であり得る。適当なプラスティックはポリエチレンブレンドであり、部材は約０．２５ｍｍの厚さを有し得る。プラスティック部材６０は、第１および第２の連結部３４、３６に、例えば、溶接または粘着性の接着によって固定される、別個の要素であり得る。あるいは、プラスティック部材６０は、第１および第２の連結部３４、３６の１つまたは両方と一体的に成型され得る。
【００３３】
図９および図１０は、第５の実施形態においては、柔軟な支持環４０は実質的に同一の直径の連結部間に拡張するということを除いて、前述の実施形態に類似の第５の実施形態を示す。柔軟な支持環４０は、第１の連結部３４に固定された第１の端７０、および第２の連結部３６に固定された第２の端７２を備える。第１および第２の端７０、７２は実質的に同一の直径からなり、それによりアダプタ２６が、身体装備２２とオストミー装具２４との間に、マッチするサイズの連結を有して嵌合することを可能にする。ユーザーはオストミー装具２４を身体装備２２に直接取り付けるか、または（例えば、ストーマが特に傷つきやすい、手術後または他の特定の患者管理のために）アダプタ２６を採用するかを選択的に選び得る。
【００３４】
第５の実施形態の柔軟な支持環４０は、様々な形態を取り得る。図示された１つの形態においては、柔軟な支持環４０は、概して管状であり、伸ばされた状態（図１０）のときには伸ばされた管を形成し、収縮させられた状態（図９）のときにはコンサーティーナの折りたたまれたＯリングを形成する。柔軟な支持環４０は、（収縮させられた状態のような）１つの状態で成型され得、他の位置に拡張可能である。前述の可能性を参照すると、折りたたむ、および／または伸縮可能なような、柔軟な支持環４０の他の可能な形状および形態が可能である。オプションとして、柔軟な支持環４０は、米国仮出願第６０／９６８，４０３号および第６０／９５６，２３８号に由来する、本発明者の、同時に出願されたＰＣＴ出願により詳細に記載されるように、双安定な特性を有し得る。
【００３５】
柔軟な支持環４０は、収縮させられた位置において、柔軟な支持環４０がアダプタ２６の連結部３４および３６の背中合わせの位置取りを実質的に妨害しないように形成されている（図９参照）。これは、アダプタ２６が、使用中にオストミー装具２４および身体装備２２のプロファイルに加算する広がりを制限するように、収縮させられた位置において低プロファイル形状を採用することを可能にする。管状の支持環４０の端が連結部３４および３６の背中合わせの表面に取り付けられ得るが、収縮させられた位置において連結部３４および３６が互いから十分に間隔を置いていないことが認識される。修正、改善および均等物が、本発明の特許請求範囲に含まれ得ることが認識される。
【図１】
0005478490.tif 000002
【図２】
0005478490.tif 000003
【図３】
0005478490.tif 000004
【図４】
0005478490.tif 000005
【図５】
0005478490.tif 000006
【図６】
0005478490.tif 000007
【図７】
0005478490.tif 000008
【図８】
0005478490.tif 000009
【図９】
0005478490.tif 000010
【図１０】
0005478490.tif 000011